(57)【要約】【課題】自立性を持たせることによって陳列時の制限をなくすことができるピローケース状のプラスチックケースを提供する。【解決手段】対向する一対の前面板１１及び後面板１２を直線状折曲げ線２１を介してケース上下方向に連接し、前記前面板及び後面板の両側縁に内方に湾曲させた円弧状折曲げ線２３，２４を介して外部側面板１４及び内部側面板１５をそれぞれ連接し、該内部側面板の反折曲げ線側端縁１５ａを前面板の円弧状折曲げ線に対応した凸形湾曲形状に形成し、前記外部側面板の反折曲げ線側端縁は、その上部１４ａを後面板の円弧状折曲げ線に対応した凸形湾曲形状に形成するとともに、その下部１４ｂを後面板の円弧状折曲げ線に対応した位置より延出させて脚片１６を形成した。【選択図】　　図１
2004035102.tif 000002
【特許請求の範囲】
【請求項１】
対向する一対の前面板及び後面板を直線状折曲げ線を介してケース上下方向に連接し、前記前面板及び後面板の両側縁に内方に湾曲させた円弧状折曲げ線を介して外部側面板及び内部側面板をそれぞれ連接し、該内部側面板の反折曲げ線側端縁を前面板の円弧状折曲げ線に対応した凸形湾曲形状に形成し、前記外部側面板の反折曲げ線側端縁は、その上部を後面板の円弧状折曲げ線に対応した凸形湾曲形状に形成するとともに、その下部を後面板の円弧状折曲げ線に対応した位置より延出させて脚片を形成したことを特徴とするプラスチックケース。
【請求項２】
前記前面板と後面板との連接部間に、直線状折曲げ線を介して幅狭の天面板及び底面板がそれぞれ設けられていることを特徴とする請求項１記載のプラスチックケース。
【発明の詳細な説明】
【０００１】
【発明の属する技術分野】
本発明は、プラスチックケースに関し、詳しくは、化粧品等の小物を収納した状態で展示販売するのに適したプラスチックケースに関する。
【０００２】
【従来の技術】
従来から、小さな物品を収納するためのケース（箱）として、１枚のプラスチックシートを折曲げ線に沿って折曲げ形成したプラスチックケースが広く用いられている。このようなプラスチックケースとして、ケース前面及び後面を外側に湾曲させた、いわゆるピローケース状のものが知られている。
【０００３】
【発明が解決しようとする課題】
しかし、このようなピローケース状のものは、そのままでは自立性を有していないため、店頭で陳列販売を行うときには、吊り下げ片を設けて吊り下げ状態で陳列したり、専用の支持台を使用して陳列したりするようにしていた。このため、陳列場所や陳列状態に制限があった。
【０００４】
そこで本発明は、自立性を持たせることによって陳列時の制限をなくすことができるピローケース状のプラスチックケースを提供することを目的としている。
【０００５】
【課題を解決するための手段】
上記目的を達成するため、本発明のプラスチックケースは、対向する一対の前面板及び後面板を直線状折曲げ線を介してケース上下方向に連接し、前記前面板及び後面板の両側縁に内方に湾曲させた円弧状折曲げ線を介して外部側面板及び内部側面板をそれぞれ連接し、該内部側面板の反折曲げ線側端縁を前面板の円弧状折曲げ線に対応した凸形湾曲形状に形成し、前記外部側面板の反折曲げ線側端縁は、その上部を後面板の円弧状折曲げ線に対応した凸形湾曲形状に形成するとともに、その下部を後面板の円弧状折曲げ線に対応した位置より延出させて脚片を形成したことを特徴としている。さらに、前記前面板と後面板との連接部間に、直線状折曲げ線を介して幅狭の天面板及び底面板がそれぞれ設けられていることを特徴としている。
【０００６】
【発明の実施の形態】
図１乃至図３は、本発明のプラスチックケースの第１形態例を示すもので、図１はプラスチックケースの展開図、図２は組立て後のプラスチックケースの断面側面図、図３は組立て後のプラスチックケースの斜視図である。このプラスチックケースは、所定形状に打ち抜かれ、所定位置に折曲げ線を設けた一枚のプラスチックシート１を、前記折曲げ線に沿って所定方向に折曲げるとともに、糊代片を接着することによって箱状に組立てられるものである。
【０００７】
前記プラスチックシート１には、直線状折曲げ線２１を介して前面板１１と後面板１２とが上下方向に連接しており、前面板１１の下部側には直線状折曲げ線２２を介して糊代片１３が設けられている。さらに、前面板１１及び後面板１２の両側縁には、前面板１１及び後面板１２の内方に湾曲した凹状の円弧状折曲げ線２３，２４を介して外部側面板１４及び内部側面板１５がそれぞれ設けられている。
【０００８】
前記内部側面板１５の反折曲げ線側端縁１５ａは、前記前面板両側縁の円弧状折曲げ線２３に対応した凸形湾曲形状に形成されており、ケース組立時に、この端縁１５ａが円弧状折曲げ線２３の内側に沿うようにしている。一方、前記外部側面板１４の反折曲げ線側端縁については、その上部１４ａは、後面板両側縁の円弧状折曲げ線２４に対応した凸形湾曲形状に形成されており、ケース組立時に、この端縁上部１４ａが円弧状折曲げ線２４の外側に沿うようにしている。
【０００９】
そして、外部側面板１４の反折曲げ線側端縁下部１４ｂは、後面板両側縁の円弧状折曲げ線２４に対応した位置より外側に延出させて一対の脚片１６を形成しており、この脚片１６の下縁１６ａが、ケース組立時における前面板１１及び後面板１２の下端接地部、本例では直線状折曲げ線２２の両端部から後方に突出するにしている。
【００１０】
このプラスチックシート１は、各折曲げ線を同一方向、例えば図１において全ての折曲げ線を谷折りとし、後面板１２の下端部と糊代片１３とを接着するとともに、内部側面板１５を折り曲げてから、その外面に重なるように外部側面板１４を折り曲げることにより、図２，図３に示すように、前面板１１及び後面板１２が外側に膨らんだ状態の、いわゆるピローケース状プラスチックケース１０となり、該ケースの下部後方に前記脚片１６が突出した状態となる。このようにして脚片１６を後方に突出させることにより、商品を収納した状態のプラスチックケース１０を前面板１１及び後面板１２の下端接地部とこの脚片１６とで自立させることができる。
【００１１】
図４乃至図６は、本発明のプラスチックケースの第２形態例を示すもので、図４はプラスチックケースの展開図、図５は組立て後のプラスチックケースの断面側面図、図６は組立て後のプラスチックケースの斜視図である。なお、前記第１形態例に示したプラスチックケースと同一の構成要素には同一の符号を付して詳細な説明は省略する。
【００１２】
本形態例に示すプラスチックケースは、前面板１１と後面板１２との連接部間、すなわち、前面板上縁と後面板上縁との間に、直線状折曲げ線３１ａ、３１ｂを介して幅狭の天面板３１を形成するとともに、前面板下縁と後面板下縁との間に、直線状折曲げ線３２ａを介して幅狭の底面板３２をそれぞれ形成し、この底面板３２と前記糊代片１３とを接着するようにしたものであって、前記第１形態例に示したプラスチックケースよりも大きな商品を収納できるようにしている。
【００１３】
また、前記外部側面板１４及び内部側面板１５の上下両端縁には、天面板３１及び底面板３２の幅寸法に対応した直線部３３がそれぞれ設けられている。これにより、内部側面板１５の端縁１５ａが円弧状折曲げ線２３の内側に沿うようになり、前記外部側面板１４の端縁上部１４ａが円弧状折曲げ線２４の外側に沿うようになる。
【００１４】
さらに、外部側面板１４の端縁下部１４ｂは、前記同様に、後面板両側縁の円弧状折曲げ線２４に対応した位置より外側に延出して脚片１６をそれぞれ形成しており、この脚片１６の下縁１６ａが、ケース組立時の下端接地部となる底面板３２の両端部から後方に突出する状態となる。したがって、本例に示すプラスチックケースにおいても、底面板３２の幅寸法（奥行き寸法）が小さい場合でも、脚片１６によってプラスチックケースを自立させることができる。
【００１５】
このように、脚片１６をケース本体部分の側面板から延出させた状態で一体形成することにより、所定位置に折曲げ線を設けた所定形状のプラスチックシートを、通常のピローケース状プラスチックケースと同様に、各折曲げ線に沿って折り曲げるとともに糊代片１３を接着して組み立てるするだけで自立性を有するピローケース状のプラスチックケースを得ることができる。したがって、化粧品等の商品を収納したピローケース状プラスチックケースを、それ自身で自立させることが可能となり、商品陳列時の制限がなくなるので、通常の箱形の商品と同様にして陳列販売することができる。また、脚片１６における下縁１６ａを後方が上昇するように形成することにより、プラスチックケースを後方に傾斜させた状態で自立させることができる。
【００１６】
【発明の効果】
以上説明したように、本発明のプラスチックケースによれば、自立させるための脚片をケース本体部分の側面板から延出させた状態で一体形成したので、通常のピローケース状プラスチックケースと同様に組み立てるするだけで自立性を有するピローケース状のプラスチックケースを得ることができる。
【図面の簡単な説明】
【図１】本発明のプラスチックケースの第１形態例を示す展開図である。
【図２】組立て後のプラスチックケースの断面側面図である。
【図３】組立て後のプラスチックケースの斜視図である。
【図４】本発明のプラスチックケースの第２形態例を示す展開図である。
【図５】組立て後のプラスチックケースの断面側面図である。
【図６】組立て後のプラスチックケースの斜視図である。
【符号の説明】
１…プラスチックシート、１０…ピローケース状プラスチックケース、１１…前面板、１２…後面板、１３…糊代片、１４…外部側面板、１５…内部側面板、１６…脚片、２１，２２…直線状折曲げ線、２３，２４…円弧状折曲げ線、３１…天面板、３２…底面板
【図１】
2004035102.tif 000003
【図２】
2004035102.tif 000004
【図３】
2004035102.tif 000005
【図４】
2004035102.tif 000006
【図５】
2004035102.tif 000007
【図６】
2004035102.tif 000008